(57)【要約】【課題】握りやすい把手部で運搬性の良い電気掃除機を提供すること。【解決手段】集塵室蓋３の後部に形成された略Ｕ字状の切欠部１７に把手部５が配設されると共に集塵室蓋３の回動軸１８が把手部５の位置よりも後方に設けられことにより、集塵室蓋３を開閉した時の回動中心が把手部５よりも後で、かつ回動半径が大きく取れるため、集塵室蓋３が把手部５に接触する心配がなく、把手部５を上本体４の外郭上面からより上方へ突出させることができ、より握り易い把手部５を形成することで掃除機本体１を楽に持ち上げることができる。【選択図】図１
2014018266.tif 000002
【特許請求の範囲】
【請求項１】
塵埃を吸引する為の電動送風機と電源コードを巻き取るコードリールと塵埃を捕集する為の集塵室とを内蔵した本体と、
前記本体の上方に設けられた把手部と、
回動軸を有し前記本体に対して回動自在に軸支され前記集塵室を開閉する蓋体と、を具備し、
前記蓋体の後部に略Ｕ字状の切欠部を設け、前記切欠部内に前記把手部を配設すると共に、
前記蓋体の回動軸を前記把手部よりも後方に設けたことを特徴とする電気掃除機。
【請求項２】
回動軸を、略Ｕ字状の切欠部両端の内壁に設けたことを特徴とする請求項１に記載の電気掃除機。
【請求項３】
把手部を、略Ｕ字状の切欠部両側の内壁に把手部の両端が近接するように配置したことを特徴とする請求項１または２に記載の電気掃除機。
【請求項４】
略Ｕ字状の切欠部内に配置した把手部の下方の本体外郭に凹部を形成したことを特徴とする請求項１〜３のいずれか１項に記載の電気掃除機。
【請求項５】
略Ｕ字状の切欠部内に配置した把手部の下方の本体外郭に凹部を形成し、前記凹部の後方を開放したことを特徴とする請求項１〜４のいずれか１項に記載の電気掃除機。
【請求項６】
電動送風機と電源コードを巻き取るコードリールの上部に把手部を配設したことを特徴とする請求項１〜５のいずれか１項に記載の電気掃除機。
【請求項７】
把手部に電動送風機の動作を制御する本体スイッチとコードリールの動作を制御する押釦とを配設したことを特徴とする請求項１〜６のいずれか１項に記載の電気掃除機。
【発明の詳細な説明】
【技術分野】
【０００１】
本発明は、掃除機本体を持ち上げるための把手部を備えた電気掃除機に関するものである。
【背景技術】
【０００２】
従来、この種の電気掃除機は、本体の後方に塵埃を吸引する為の電動送風機と電源コードを巻き取り収納する為のコードリールとを内蔵し、前方に塵埃を捕集する為の集塵室が電動送風機と連通するように設けられており、その本体の上方に把手部及び本体に対して回動自在に軸支され、前記集塵室を開閉する蓋体とを具備していた（例えば、特許文献１参照）。
【先行技術文献】
【特許文献】
【０００３】
【特許文献１】特開２０１０−１７２６２６号公報
【発明の概要】
【発明が解決しようとする課題】
【０００４】
しかしながら、上記従来の構成では、前記蓋体を開閉する回動中心が把手部と同じか把手部よりも前方に設けられている為、回動半径が小さく蓋開閉時に前記把手部に接触する恐れがあり、把手部の高さを低く設けざるを得ず、把手部が握り難く運搬性が悪かった。また把手部下方に形成した凹部を深く形成する必要があるが、掃除機本体内部に干渉する凹部を深く形成すると結果的に掃除機本体そのものが大きくなってしまい、運搬性が悪くなることがあった。本発明は上記課題を解決するもので、握りやすい把手部で運搬性の良い電気掃除機を提供することを目的とする。
【課題を解決するための手段】
【０００５】
塵埃を吸引する為の電動送風機と電源コードを巻き取るコードリールと塵埃を捕集する為の集塵室とを内蔵した本体と、前記本体の上方に設けられた把手部と、回動軸を有し前記本体に対して回動自在に軸支され前記集塵室を開閉する蓋体と、を具備し、前記蓋体の後部に略Ｕ字状の切欠部を設け、前記切欠部内に前記把手部を配設すると共に、前記蓋体の回動軸を前記把手部よりも後方に設けたことにより、前記蓋体を開閉した時の回動中心が把手部よりも後で且つ回動半径が大きく取れるため前記把手部に接触する心配がなく、前記蓋体を開閉した時の蓋体と把手部との接触を防止することができる。
【０００６】
また同様の理由により把手部を本体外郭上面からより上方へ突出させて形成することができ、より握り易い把手部を形成することで掃除機本体を楽に持ち上げることができるものである。
【０００７】
また把手部下方の本体外郭に凹部を形成した場合には、掃除機本体内部に干渉する凹部を最低限に抑えることで掃除機本体が大きくなることを抑えることができると共に、より握り易い把手部を形成することで掃除機本体を楽に持ち上げることができるものである。
【発明の効果】
【０００８】
本発明によれば、握りやすい把手部で運搬性の良い電気掃除機を提供することができる。
【図面の簡単な説明】
【０００９】
【図１】本発明の実施の形態１における電気掃除機の平面図
【図２】同電気掃除機の側面図
【図３】同電気掃除機の後面図
【図４】同図１におけるＡ−Ａ断面図
【図５】同集塵蓋が開いた状態の図１におけるＡ−Ａ断面図
【図６】同集塵蓋を開けて紙パックを取外した状態の斜視図
【発明を実施するための形態】
【００１０】
第１の発明は、塵埃を吸引する為の電動送風機と電源コードを巻き取るコードリールと塵埃を捕集する為の集塵室とを内蔵した本体と、前記本体の上方に設けられた把手部と、回動軸を有し前記本体に対して回動自在に軸支され前記集塵室を開閉する蓋体と、を具備し、前記蓋体の後部に略Ｕ字状の切欠部を設け、前記切欠部内に前記把手部を配設すると共に、前記蓋体の回動軸を前記把手部よりも後方に設けたことにより、前記蓋体を開閉した時の回動中心が把手部よりも後方で且つ回動半径が大きく取れるため前記把手部に接触する心配がなく、前記蓋体を開閉した時の蓋体と把手部との接触を防止することができる。
【００１１】
また同様の理由により把手部を本体外郭上面からより上方へ突出させて形成することができ、より握り易い把手部を形成することで掃除機本体を楽に持ち上げることができる。
【００１２】
また把手部下方の本体外郭に凹部を形成した場合には、掃除機本体内部に干渉する凹部を最低限に抑えることで掃除機本体が大きくなることを抑えることができると共に、より握り易い把手部を形成することで掃除機本体を楽に持ち上げることができる。
【００１３】
第２の発明は、特に第１の発明において、回動軸を、略Ｕ字状の切欠部両端の内壁に設けたことにより、略Ｕ字状の切欠部両端の内壁に設けた回動軸を本体外郭に設けた軸支孔へ着脱を行う組立・分解作業が略Ｕ字状の切欠部両端が分離してたわみ易く非常に容易に作業を行うことができる。
【００１４】
第３の発明は、特に第１または第２の発明において、把手部を、略Ｕ字状の切欠部両側の内壁に把手部の両端が近接するように配置したことにより、つまりは略Ｕ字状の切欠部両側の内壁に向かって把手部を橋渡しするように、換言すれば本体の略中央部の左右方向に把手部を配設することで非常にバランスよく掃除機本体を持ち上げることができる。
【００１５】
第４の発明は、特に第１〜３のいずれか１つの発明において、略Ｕ字状の切欠部内に配置した把手部の下方の本体外郭に凹部を形成したことにより、把手部により手を挿入し易くすることができ、掃除機本体を楽に持ち上げることができる。
【００１６】
第５の発明は、特に第１〜４のいずれか１つの発明において、略Ｕ字状の切欠部内に配置した把手部の下方の本体外郭に凹部を形成し、前記凹部の後方を開放したことにより、把手部に本体の後方より手を挿入し易くすることができ、掃除機本体をより楽に持ち上げることができる。
【００１７】
第６の発明は、特に第１〜５のいずれか１つの発明において、電動送風機と電源コードを巻き取るコードリールの上部に把手部を配設したことにより、重量物である電動送風機とコードリールの上部に把手部を配設することで掃除機本体の重心に最も近い位置に把手部を設けることができ、掃除機本体を楽に持ち上げることができる。
【００１８】
第７の発明は、特に第１〜６のいずれか１つの発明において、把手部に電動送風機の動作を制御する本体スイッチとコードリールの動作を制御する押釦とを配設したことにより
、回動軸を前記把手部よりも後方に設けほぼ掃除機本体上部全面を覆う蓋体に本体スイッチ及び押釦を通す孔を形成する必要がなく外観を良好にすると共に本体スイッチ及び押釦各々の操作をし易くすることができる。
【００１９】
以下、本発明の実施の形態について、図面を参照しながら説明する。なお、この実施の形態によってこの発明が限定されるものではない。
【００２０】
（実施の形態１）
本発明の第１の実施の形態における電気掃除機について、図１〜図５を用いて説明する。図１は、本発明の実施の形態１における電気掃除機の平面図、図２は同側面図、図３は同後面図、図４は同図１のＡ−Ａ断面図、図５は同集塵蓋が開いた状態の図１におけるＡ−Ａ断面図、図６は同集塵蓋を開けて紙パックを取外した状態の斜視図である。
【００２１】
本実施の形態における電気掃除機において、１は掃除機本体で、この掃除機本体１の主な外郭部品としては、下本体２、集塵室蓋３、上本体４から成り、例えば合成樹脂などにより形成されている。
【００２２】
この下本体２の内部には、隔壁６が設けられ、この隔壁６の後側に、電動送風機７を収容する図示しない電動送風機室及び、電源コードを巻き取る為のコードリール８を収容する図示しないコードリール室がそれぞれ区画されているとともに、隔壁６の前側に、この隔壁６に設けられた連通口９を介して電動送風機７の吸込側に連通する集塵室１０が区画され、この集塵室１０に、紙パック１１などの集塵袋が着脱可能に配置されている。なおサイクロン掃除機などの場合には、集塵カップなどの集塵装置が着脱可能に配置されることとなる。
【００２３】
下本体２の両側方には、掃除機本体１の走行用の大径の走行輪１２が回転自在に軸支されている。また、下本体２の前部には、図示しない床ノズルや延長管を有するホース体の接続側が着脱可能に接続される本体吸込口１３が集塵室１０に連通して設けられている。
【００２４】
上本体４には、蓋体としての集塵室蓋３が回動自在に軸支されて集塵室１０を開閉可能としている。この集塵室蓋３の後部には、略Ｕ字状の切欠部１７が形成されており、前記略Ｕ字状の切欠部１７の両端の内壁には回動軸１８が設けられ前記上本体４の上部に形成された軸支孔１９に挿入され回動自在に軸支されている。
【００２５】
前記略Ｕ字状の切欠部１７の両端の内壁に設けられた回動軸１８を上本体４に設けられた軸支孔１９へ着脱を行う組立・分解作業が略Ｕ字状の切欠部１７両端が分離してたわみ易く非常に容易に作業を行うことができるものである。
【００２６】
また上本体４の上部の略中央部には、集塵室蓋３の後部に形成された略Ｕ字形状の切欠部１７に沿うように凹部１４が形成されており、この凹部１４には、作業者が把持して掃除機本体１を持ち上げるための把手部５が取り付けられている。またこの凹部１４の後方は開放されており把手部５に掃除機本体１の後方より手を挿入し易くなっている。
【００２７】
また前記把手部５は、略Ｕ字状の切欠部１７の両側の内壁に把手部５の両端が近接するように配設されており、つまりは略Ｕ字状の切欠部１７の両側の内壁に向かって把手部５が橋渡しされるように、換言すれば掃除機本体１の略中央部の左右方向に把手部５が配設されており、前記電動送風機７と電源コードを巻き取る為のコードリール８の上部に位置している。
【００２８】
またさらにこの把手部５には、前記電動送風機７の動作を制御する本体スイッチ１５と
前記コードリール８の動作を制御する電源コードの巻取用の巻き取り押釦１６とが配設されている。
【００２９】
また上記したように前記集塵室蓋３の後部に形成された略Ｕ字状の切欠部１７の内壁に前記把手部５の両端が近接するように配設されると共に、前記集塵室蓋３の回動軸１８は前記把手部５の位置よりも後方に設けられており、ほぼ掃除機本体１の後方領域に集塵室蓋３の回動軸１８及び軸支孔１９から成る回動中心が設けられた構成となる。
【００３０】
したがって、前記集塵室蓋３を開閉した時の回動中心が把手部５よりも後で且つ回動半径が大きく取れるため、前記把手部５に集塵室蓋３が接触する心配がなく、前記集塵室蓋３を開閉した時の集塵室蓋３と把手部５との接触を防止することができるものである。
【００３１】
以上のように構成された電気掃除機において、その動作を説明する。電動送風機７は、電源コードを介して電源から給電され、電動送風機７の動作を制御する本体スイッチ１５をオンすることにより図示しない床ノズルや延長管を有するホース体を介して空気とともに塵埃を吸い込み、吸い込まれた塵埃は集塵室１０内の紙パック１１に蓄積される。
【００３２】
ここで、集塵室蓋３の後部に形成された略Ｕ字状の切欠部１７の内壁に前記把手部５の両端が近接するように配設されると共に前記集塵室蓋３の回動軸１８は前記把手部５の位置よりも後方に設けられており、ほぼ掃除機本体１の後方領域に集塵室蓋３の回動軸１８及び軸支孔１９から成る回動中心が設けられた構成とすることにより、前記集塵室蓋３を開閉した時の回動中心が把手部５よりも後方で、かつ回動半径が大きく取れるため前記把手部５に集塵室蓋３が接触する心配がなく、前記集塵室蓋３を開閉した時の集塵室蓋３と把手部５との接触を防止することができるものである。
【００３３】
また同様の理由により把手部５を上本体４の外郭上面からより上方へ突出させて形成することができ、より握り易い把手部５を形成することで掃除機本体１を楽に持ち上げることができるものである。
【００３４】
また把手部５の下方の本体外郭である上本体４に凹部１４を形成していない場合においても、把手部５をより上方へ突出させて形成することで上本体４の外郭上面と把手部５との間の空間を大きく取れ、手を挿入しやすくし、より握り易い把手部５を形成することで掃除機本体１を楽に持ち上げることができるものである。
【００３５】
また把手部５の下方に位置する本体外郭の上本体４に凹部１４を形成しているが、掃除機本体１内部に干渉する凹部１４を最低限の大きさに抑えることで掃除機本体１の高さ方向の寸法が大きくなることを抑えることができると共に、より握り易い把手部５を形成することで掃除機本体１を楽に持ち上げることができるものである。
【００３６】
また前記略Ｕ字状の切欠部１７の両端の内壁に回動軸１８を設けたことにより、略Ｕ字状の切欠部１７の両端の内壁に設けた回動軸１８を、本体外郭である上本体４に設けた軸支孔１９へ着脱を行う組立・分解作業が、略Ｕ字状の切欠部１７両端が分離してたわみ易いため、非常に容易に作業を行うことができるものである。
【００３７】
また前記略Ｕ字状の切欠部１７の両側の内壁に把手部５の両端が近接するように設けたことにより、つまりは略Ｕ字状の切欠部１７の両側の内壁に向かって把手部５を橋渡しするように、換言すれば掃除機本体１の略中央部の左右方向に把手部５を配設することで非常にバランスよく掃除機本体１を持ち上げることができるものである。
【００３８】
また前記略Ｕ字状の切欠部１７内に把手部５を配置し、把手部５の下方に位置する本体
外郭の上本体４に凹部１４を形成したことにより、把手部５により手を挿入し易くすることができ、掃除機本体１を楽に持ち上げることができるものである。
【００３９】
さらには、前記凹部１４の後方を開放したことにより、把手部５に掃除機本体１の後方より手を挿入し易くすることができ、掃除機本体１をより楽に持ち上げることができるものである。
【００４０】
また前記把手部５を重量物である電動送風機７と電源コードを巻き取るコードリール８の上部に配設したことにより、掃除機本体１の重心に最も近い位置に把手部５を設けることができ、掃除機本体１を楽に持ち上げることができるものである。特に、電動送風機７の重心位置近傍とコードリール８の回動軸近傍の上部に把手部５を配設することにより、掃除機本体１の重心に最も近い位置に把手部５が位置することになり、より楽に掃除機本体１を持ち上げることができるものである。
【００４１】
また前記把手部５に電動送風機７の動作を制御する本体スイッチ１５と前記コードリール８の動作を制御する押釦１６とを配設したことにより、回動軸１８が前記把手部５よりも後方に設けられほぼ掃除機本体１の上部全面を覆う集塵室蓋３に、本体スイッチ１５及び押釦１６を通す孔を形成する必要がなくなり、外観を良好にすると共に本体スイッチ１５及び押釦１６各々の操作をし易くすることができるものである。
【００４２】
なお、上記実施の形態において、集塵室１０には、集塵袋に代えて、例えばサイクロン式の集塵カップなどの集塵装置を取り付けてもよい。さらに、把手部５の下方の本体外郭に凹部を形成するものに限定されない。この場合には、本体外郭から把手部５を本体外郭上面からより上方へ突出させて形成することで同様の作用や効果が得られることは、言うまでも無いものである。
【産業上の利用可能性】
【００４３】
以上のように、本発明にかかる電気掃除機は、握りやすい把手部で運搬性の良いものであるため、運搬が必要な電気掃除機に特に有用である。
【符号の説明】
【００４４】
１  掃除機本体
２  下本体
３  集塵室蓋（蓋体）
４  上本体
５  把手部
７  電動送風機
８  コードリール
１０  集塵室
１４  凹部
１５  本体スイッチ
１６  押釦
１７  切欠部
１８  回動軸
１９  軸支孔
【図１】
2014018266.tif 000003
【図２】
2014018266.tif 000004
【図３】
2014018266.tif 000005
【図４】
2014018266.tif 000006
【図５】
2014018266.tif 000007
【図６】
2014018266.tif 000008